(57)【要約】【課題】鼻や口元を覆うマスクの着用位置からマスクを引き下げて口元を露出させる操作、及び露出させた後に元の着用位置へと戻す操作が容易となるマスクを提供する。【解決手段】  中央のマスク本体２と、左右の耳掛け部３、３と、を有するマスク１であって、マスク本体２に対し少なくともその上端部２Ｕと下端部２Ｄとの双方に固定される形で上下方向に延びる補強部４と、補強部４の下端と接続する形でマスク本体２の下縁よりも下方に垂れ下がる伸縮性を有した引っ張り操作部５と、を備える。【選択図】図１
0003233874.tif 000002
【実用新案登録請求の範囲】
【請求項１】
着用者の鼻と口とを覆うよう上下左右に広がるマスク本体と、着用者の耳に掛けられるよう前記マスク本体の左右両端の外側に形成される伸縮性を有した耳掛け部と、を備えるマスクであって、
前記マスク本体の少なくともその上端部と下端部との双方に固定される形で上下方向に延びる補強部と、
前記補強部の下端と接続する形で前記マスク本体の下縁よりも下方に垂れ下がる引っ張り操作部と、
を有することを特徴とするマスク。
【請求項２】
前記補強部及び前記引っ張り操作部は、伸縮性を有した単一の紐部材によって形成され、
前記紐部材は、一端が前記上端部における左右方向の第一側に固定され、前記マスク本体に固定される形でその左右方向の中央側に向けて下方に延びることにより、前記下端部における左右方向の中央部に固定される形で前記補強部をなす第一補強部を形成し、そこから下方に延びた先で上方に折り返し、前記下端部の前記中央部に固定されることにより前記引っ張り操作部を形成し、そこからさらに前記マスク本体に固定される形で左右方向の第一側とは逆の第二側に向けて上方に延び、その先の他端が前記上端部における左右方向の第二側に固定されることにより前記補強部をなす第二補強部を形成している請求項１に記載のマスク。
【請求項３】
前記紐部材を第一紐部材とし、
一端が前記下端部における左右方向の第一側に、他端がその逆の第二側に固定され、それぞれの固定位置から下方に垂れ下がる第二紐部材と、
前記第二紐部材の一端側と他端側の双方が挿通され、それら双方の挿通状態にて上方に移動させることにより前記下端部における左右方向の第一側と第二側とを接近させることが可能な筒部材と、
を備える請求項２に記載のマスク。
【考案の詳細な説明】
【技術分野】
【０００１】
本考案はマスクに関する。
【背景技術】
【０００２】
感染症流行時においては食事の時もマスクの着用が求められる。この場合、マスクは、鼻や口元を覆うマスク本体を食べ物を口に運ぶときだけ口元から引き離し、口に運んだ後には再びもとの着用位置に戻すようにして使用される。このようなマスクの移動操作は、マスク本体を指で正面側へとつまみ上げることで口とマスクの間に空間を作る、あるいはマスク本体を指でつまんで下方に引き下げることで鼻及び口を露出させる、といった形でなされることが多い。
【０００３】
しかしながら、このようなマスクの移動操作は、ウイルス等の進入を防ぐマスク本体を直接触れる形でなされるため、衛生上好ましいとはいえない。これに対し特許文献１には、専用のつまみ部を設け、それをつまみ上げる操作によって口とマスクの間に空間を作る技術について記載があるが、食事等の時は口を露出させるためにマスク本体を引き下げる操作の方が、食事のしやすさという観点から好ましい。上記のようなつまみ部の場合、そうした引き下げ操作をする場合には操作性が良いとはいえず、特にマスクを引き下げた後に元の着用位置へと戻す操作については容易とはいえない。
【先行技術文献】
【特許文献】
【０００４】
【特許文献１】実用新案登録第３２２８０７５号公報
【考案の概要】
【考案が解決しようとする課題】
【０００５】
本考案の課題は、鼻や口元を覆うマスクの着用位置からマスクを引き下げて口元を露出させる操作、及び露出させた後に元の着用位置へと戻す操作が容易となるマスクを提供することにある。
【課題を解決するための手段及び考案の効果】
【０００６】
上記課題を解決するためのマスクは、
着用者の鼻と口とを覆うよう上下左右に広がるマスク本体と、着用者の耳に掛けられるよう前記マスク本体の左右両端の外側に形成される伸縮性を有した耳掛け部と、を備えるマスクであって、
前記マスク本体の少なくともその上端部と下端部との双方に固定される形で上下方向に延びる補強部と、
前記補強部の下端と接続する形で前記マスク本体の下縁よりも下方に垂れ下がる引っ張り操作部と、
を有することを特徴とする。
【０００７】
上記構成のマスクによれば、着用者がマスクを着用した状態において引っ張り操作部を下方に引き下げる操作をすると、それに追従してマスク本体全体が下方に降りる。このとき耳掛け部は、着用者の耳を中心としてマスク本体側が下方に下がるよう回転するとともに、下方に進むに従い引き伸ばされていくことで、マスク本体をほぼ真下方向へと移動させることができる。この引き下げ状態からマスクを着用位置に戻すときには、引っ張り操作部をわずかに前方に引き出すような形で上方に移動させた後、前方への引っ張りを解除する。これにより再び着用状態に戻る。これら一連の動作は、耳を中心としたマスクの揺動動作であり、実際に操作したときにはその動作の予想以上のスムーズさを感じることができる。
【０００８】
こうしたスムーズな移動操作を可能にするために、上記構成のマスクには従来のマスクには存在しない補強部が設けられている。これにより、引っ張り操作部によって下方に引き下ろされたとき、マスク本体には上端部と下端部に対し下方への力が同時かつ均一に加わるため、マスク本体はその姿勢をほぼ変えることなく安定して下方に降りる。従来のマスクのように補強部がない場合は、マスク本体を下方へと引き下ろすとき、マスク本体の上側が鼻に引っかかった状態で下側のみが引っ張られて伸び、鼻の引っ掛かりが外れるに伴い一気に下方に降りてくるなど、下方への移動が安定しない。また、引き下ろした後にマスク本体の上端部と下端部が接近するような折れ曲がりが発生することもあり、その場合、着用状態に戻そうとしても折れ曲がりが解消されず、元の着用状態に戻せないこともある。上記構成のマスクではそれらが生じることは無い。
【０００９】
前記補強部及び前記引っ張り操作部は、伸縮性を有した単一の紐部材によって形成され、前記紐部材は、一端が前記上端部における左右方向の第一側に固定され、前記マスク本体に固定される形でその左右方向の中央側に向けて下方に延びることにより、前記下端部における左右方向の中央部に固定される形で前記補強部をなす第一補強部を形成し、そこから下方に延びた先で上方に折り返し、前記下端部の前記中央部に固定されることにより前記引っ張り操作部を形成し、そこからさらに前記マスク本体に固定される形で左右方向の第一側とは逆の第二側に向けて上方に延び、その先の他端が前記上端部における左右方向の第二側に固定されることにより前記補強部をなす第二補強部を形成することができる。この構成によれば、１つの紐部材で補強部と引っ張り操作部との双方を形成できる。さらに、補強部のマスク本体の固定位置が、上端側で左右に１ずつで合計２か所、下端側で中央に１か所となるため、マスク本体をより安定して下方に引き下ろすことが可能になる。さらに、上下端部だけでなく、それらの間の区間についてもマスク本体に固定されるから、マスク本体との固定部分においては伸縮性が失われる。これにより、マスク本体をさらに安定して下方に引き下ろすことが可能になる。
【００１０】
前記紐部材を第一紐部材とし、一端が前記下端部における左右方向の第一側に、他端がその逆の第二側に固定され、それぞれの固定位置から下方に垂れ下がる第二紐部材と、前記第二紐部材の一端側と他端側の双方が挿通され、それら双方の挿通状態にて上方に移動させることにより前記下端部における左右方向の第一側と第二側とを接近させることが可能な筒部材と、を備えることができる。この構成によれば、筒部材を第二紐部材に対して上方に引き上げることで、第二紐部材が固定されるマスク本体の下端部の左右方向の第一側と第二側とが接近し、マスク本体の下側中央の裏側に一定の空間を形成できる。これにより、マスク本体が口にくっつくことを防ぐことができ、呼吸がしやすくなる。
【図面の簡単な説明】
【００１１】
【図１】第一実施例のマスクの正面図。
【図２】図１のマスクを着用位置から引き下げる操作を説明する側面図。
【図３】図１のマスクを引き下げた状態を説明する側面図。
【図４】図１のマスクを引き下げた状態から着用位置に戻す操作を説明する側面図。
【図５】図４に続く図。
【図６】図１のマスクが着用位置に戻った状態を説明する側面図。
【図７】第二実施例のマスクの正面図。
【図８】図７のマスクの内側下部空間拡張操作を説明する側面図。
【図９】図７のマスクの内側下部空間拡張状態を説明する側面図。
【考案を実施するための形態】
【００１２】
以下、本考案の実施例を、図面を参照して説明する。
【００１３】
図１に示すように、本実施例のマスク１は、中央のマスク本体２と、左右の耳掛け部３、３と、補強部４と、引っ張り操作部５と、を有する。
【００１４】
マスク本体２は、着用者の鼻と口とを覆うよう上下左右に広がる面形状（シート状）をなす。具体的にいえば、マスク本体２は、左右方向に広がる横長形状をなすとともに、その左右両端部２Ｒ、２Ｌが、着用時に顔との間に隙間が生じにくいよう中央に向けて凹状に湾曲した形状となっている。マスク本体２は、通気性及び伸縮性を有した素材であり、ここでは不織布が用いられている。なお、マスク本体２の素材については他の素材であってもよい。
【００１５】
マスク本体２には、形状を安定的に維持するための外周補強部として、単一の紐部材である外周用紐部材２０が外周部（外縁部）に固定されている。ここでの外周用紐部材２０は、長手方向に伸縮性を有するが、マスク本体２の外周部に固定されることでその性質は失われている。また、この外周用紐部材２０は、マスク本体２よりも厚みがあり、その厚みによる折れ曲がりにくさでもって、マスク本体２の外形を補強している。
【００１６】
耳掛け部３、３は、着用者の耳（図２の符号Ｅ参照）に掛けられるよう、マスク本体２の左右両端部２R、２Lの外側に形成される伸縮性を有した部位であり、マスク本体２の左右外側に耳を挿通させる挿通部を形成する。ここでの耳掛け部３、３は、伸縮性を有した単一の紐部材である耳掛け用紐部材であり、一端がマスク本体２の左右両端部２R、２Lの上端側に、他端が下端側に固定される。なお、耳掛け部３、３は、紐部材で形成されたものに限るものではない。
【００１７】
耳掛け部３、３をなす耳掛け用紐部材には、耳掛け長さ調整手段３０として、耳掛け用筒部材３１と、耳掛け用抜け止め部材３２と、がそれぞれに設けられる。耳掛け用筒部材３１は、マスク本体２の上端側から延びる上側紐部と、下端側から延びる下側紐部との双方を挿通するように設けられる。耳掛け用抜け止め部材３２は、上側紐部と下側紐部との双方が耳掛け用筒部材３１に挿通された先の耳掛け用紐部材の折り返し部（上側紐部と下側紐部の接続部）に設けられ、耳掛け用筒部材３１の抜けを阻止する。耳掛け用筒部材３１の位置を、上述の上側紐部及び下側紐部に沿ってマスク本体２側（左右両端部２Ｒ、２Ｌ側）に接近又は離間させることで、耳掛け部３の長さ調整が可能である。
【００１８】
補強部４は、マスク本体２に対し少なくともその上端部２Ｕと下端部２Ｄとの双方に固定される形で図１の上下方向に延びるよう形成される。ここでは補強部４として、第一補強部４１と第二補強部４２とが形成されている。第一補強部４１は、マスク本体２の上端部２Ｕにおいて左右方向の第一側（図１の左側）に固定され、そこからマスク本体２に固定される形で左右方向の中央側に向けて下方に延び、下端部２Ｄにおいて左右方向の中央部２ＤＣ（下端中央部）に固定される。第二補強部４２は、マスク本体２の上端部２Ｕにおいて左右方向の第一側とは逆の第二側（図１の右側）に固定され、そこからマスク本体２に固定される形で左右方向の中央側に向けて下方に延び、下端部２Ｄ（下端中央部）において左右方向の中央部２ＤＣに固定される。本実施例では、それら第一補強部４１と第二補強部４２との双方が伸縮性を有した単一の紐部材である補強用紐部材８によって形成される。
【００１９】
引っ張り操作部５は、補強部４（４１、４２）の下端と接続する形でマスク本体２の下縁よりも下方に垂れ下がる部位である。ここでの引っ張り操作部５は、中央部２ＤＣ（以下、下端中央部という）固定された補強部４をなす補強用紐部材８（第一紐部材）の延長部として中央部２ＤＣから下方に垂れ下がる形で形成され、伸縮性を有している。
【００２０】
具体的にいえば、本実施例において補強部４（４１、４２）及び引っ張り操作部５は、伸縮性を有した単一の紐部材である補強用紐部材８によって形成される。即ち、補強用紐部材８は、一端が上端部２Ｕにおける左右方向の第一側（図１の左側）に固定され、マスク本体２に固定される形でその左右方向の中央側に向けて下方に延びることにより、下端部２Ｄにおける左右方向の中央部２ＤＣに固定される形で補強部４をなす第一補強部４１を形成する。そこからさらに下方に延びた先で上方に折り返し、下端部２Ｄの中央部２ＤＣ（以下、下端中央部ともいう）に固定されることにより折り返し形状の引っ張り操作部５を形成する。さらにそこからマスク本体２に固定される形で左右方向の第一側とは逆の第二側（図１の右側）に向けて上方に延び、その先の他端が上端部２Ｕにおける左右方向の第二側に固定されることにより補強部４をなす第二補強部４２を形成する。
【００２１】
また、引っ張り操作部５をなす補強用紐部材８には、操作部長さ調整手段５０として、マスク本体２の下端中央部２ＤＣから下方に垂れ下がり、その先で折り返す形で設けられた折り返し部を挿通する操作部用筒部材５１（第一操作部用筒部材）と、その先に位置して、操作部用筒部材５１の抜けを阻止する操作部用抜け止め部材５２（第一操作部用抜け止め部材）と、がそれぞれに設けられる。操作部用筒部材５１の位置を、上述の折り返し部に沿ってマスク本体２側（下端部２Ｄ側）に接近又は離間させることで、引っ張り操作部５の長さ調整が可能である。
【００２２】
マスク１を口元から外すときには、図２に示すように引っ張り操作部５を下方に引き下げることにより、着用位置のマスク本体２を下方に移動させる（図３参照）。その引き下げた状態からは、図４に示すように引っ張り操作部５を前方に引っ張りつつ上方に引き上げ、所定位置で引っ張りを解除することにより（図５参照）、再び口及び鼻孔を覆う着用位置に戻すことができる（図６参照）。
【００２３】
以下、マスク１を口元から外す操作と、元に戻す操作について、図２〜図６を用いて説明する。
【００２４】
マスク１を口や鼻を覆う着用位置から外すときには、図２に示すように、引っ張り操作部５を下方に引き下げる操作をする。これにより、引っ張り操作部５に追従してマスク本体２全体が下方に降りてくる。このとき、耳掛け部３、３が耳Ｅを中心として下方に向けて摺動回転するとともに、マスク本体２が下方に進むに従い引き伸ばされていく。その結果、図３に示すように、マスク本体２は、下方に向けて回転移動するのではなく、引っ張り操作部５の操作方向に向けて直線的に引き下げられることになる。補強部４（４１、４２）が存在していることによりマスク本体２は、上端と下端との双方が同時に下方に引き下げられるので、姿勢を維持したまま安定して引き下げることができる。
【００２５】
この引き下げ状態からマスク１を着用位置に戻すときには、図４に示すように、引っ張り操作部５をわずかに前方に引き出すような形で上方に移動させる。これにより、引っ張り操作部５に追従してマスク本体２全体が上方に上がる。このとき、耳掛け部３、３が耳Ｅを中心として上方に向けて摺動回転するとともに、上方に進むに従い縮む。ここでは、耳掛け部３、３が縮む引っ張り力のうちの上方への分力によって、マスク本体２はスムーズに上方へ引き上げられる。そして、補強部４（４１、４２）が存在していることによりその時の分力が、マスク本体２の上端と下端との双方に同時に加わるので、姿勢を維持したまま安定して引き上げることができる。
【００２６】
引っ張り操作部５をわずかに前方に引き出すようにしたのは、マスク本体２と着用者の鼻とが干渉しないようにするためである。上記の引き上げによってマスク本体２が着用位置の正面に達したときには、図５に示すように、前方への引っ張りを解除することにより、再び着用状態（図６参照）に戻る。
【００２７】
このように本実施例のマスク１は、着用位置から引き下げる（図２→図３）、さらにはその引き下げ位置から着用位置に引き上げる（図４→図５→図６）といった一連の動作が、着用者の耳Ｅを中心とした揺動動作、具体的にいえば耳Ｅにおける耳掛け部３の接触位置で当該耳掛け部３を摺動させる摺動動作であり、実際に操作してみると、その動作は予想以上にスムーズであり、使い勝手が良い。
【００２８】
以上、本考案の一実施例を説明したが、これはあくまでも例示にすぎず、本考案はこれに限定されるものではなく、特許請求の範囲の趣旨を逸脱しない限りにおいて、当業者の知識に基づいて、追加及び省略等の種々の変更が可能である。
【００２９】
第二実施例のマスク１について、図７〜図９を用いて説明する。
【００３０】
第二実施例のマスク１は、図７に示すように、第一実施例のマスク１の構成に加えて、着用状態のマスク１の内側下部の空間を拡張する内側下部空間拡張手段６０を備える。
【００３１】
内側下部空間拡張手段６０は、補強用紐部材８（第一紐部材）とは異なる空間拡張用紐部材６（第二紐部材）と、空間拡張用筒部材６１と、を有する。空間拡張用紐部材６は、一端がマスク本体２の下端部２Ｄにおける左右方向の第一側に、他端がその逆の第二側に固定され、それぞれの固定位置（第一側下端固定部６３Ｒ及び第二側下端固定部６３Ｌ）から下方に垂れ下がる。空間拡張用筒部材６１は、空間拡張用紐部材６の一端側と他端側との双方が挿通され、それら双方の挿通状態にて上方に移動させることによりマスク本体２の下端部２Ｄにおける左右方向の第一側（６３Ｒ）と第二側（６３Ｌ）とを接近させることが可能（図８→図９）に配置される。この接近により、着用状態のマスク本体２の内側下部に空間Ｓが形成されるこの空間Ｓが形成されることにより、マスク本体が口にくっつくことを防ぐことができ、呼吸がしやすくなる。なお、空間拡張用紐部材６の一端側と他端側の双方が挿通された先の空間拡張用紐部材の折り返し部には、空間拡張用筒部材６１の抜けを阻止するための空間拡張用抜け止め部材６２が設けられている。また、マスク本体２の上端部２Ｃ及び下端部２Ｄにはワイヤー７１、７２が設けられている。
【００３２】
本考案のマスクは「ＪＩＳ  Ｔ  ９００１」に規定する「医療用マスク」及び「一般用マスク」のいずれにも適用できる。
【符号の説明】
【００３３】
１  マスク
２  マスク本体
２Ｕ  上端部
２Ｄ  下端部
２ＤＣ  下端部の中央部（下端中央部）
２Ｒ  右端部
２Ｌ  左端部
３  耳掛け部
４  補強部
４１  第一補強部
４２  第二補強部
５  引っ張り操作部
６  空間拡張用紐部材（第二紐部材）
６１  筒部材（空間拡張用筒部材）
８  補強用紐部材（第一紐部材）
【図１】
0003233874.tif 000003
【図２】
0003233874.tif 000004
【図３】
0003233874.tif 000005
【図４】
0003233874.tif 000006
【図５】
0003233874.tif 000007
【図６】
0003233874.tif 000008
【図７】
0003233874.tif 000009
【図８】
0003233874.tif 000010
【図９】
0003233874.tif 000011